(57)【特許請求の範囲】
【請求項１】
建物の周囲を掘削した溝を埋め戻した外側の地盤と、
前記建物に固定される支持部材と、
前記建物の複数個所から出てくる排水を受ける排水枡および枡同士を接続する排水管と、
前記排水管を囲むように、排水管との間に隙間をあけて配置されるシートと、
前記シートと前記排水管との隙間に、前記外側の地盤より密度が低くなるように埋め戻された内部の砂又は発泡スチロール片を混入させた砂とを備え、
前記排水管は前記支持部材で直接支持され、前記排水枡は接続されている排水管を介して前記支持部材によって間接支持されることを特徴とする不等沈下対策用の屋外排水設備。
【請求項２】
前記シートが網ないし籠である請求項１記載の不等沈下対策用の屋外排水設備。
【請求項３】
前記排水管および排水枡が合成樹脂製であり、外側の地盤に対して滑りやすいことを特徴とする請求項１または２に記載の不等沈下対策用の屋外排水設備。
【請求項４】
建物の周囲を掘削した溝を埋め戻した外側の地盤と、前記建物に固定される支持部材と、前記建物の複数個所から出てくる排水を受ける排水枡およびそれら枡同士を接続する排水管と、前記排水管を囲むように、排水管との間に隙間をあけて配置されるシートと、前記シートと前記排水管との隙間に、前記外側の地盤より密度が低くなるように埋め戻された内部の砂又は発泡スチロールを混入させた砂とを備える不等沈下対策用の屋外排水設備の設置工事の方法であって、
前記建物の地中梁周囲を掘削する工程と、
前記地中梁に前記支持部材を固定する工程と、
前記支持部材に前記排水管を固定する工程と、
前記排水管の下部を残して埋め戻す工程と、
前記シートを略半円筒ないしＵ字状の形状に撓ませて前記排水管の下方に設置する工程と、
前記シートの内側の前記排水管との隙間に、外側の地盤より低い密度になるように砂又は発泡スチロールを混入させた砂を充填する工程と、
前記シートの上部を半円状に閉じて籠を形成する工程と、
その籠の上部に砂層、良質土壌、現場土を順に埋め戻す工程とを有することを特徴とする不等沈下対策用の屋外排水設備の設置工事の方法。
【発明の詳細な説明】
【技術分野】
【０００１】
本発明は不等沈下対策用の屋外排水設備およびその設置工事の方法に関する。さらに詳しくは、建物の外構に設けられ、建物の複数個所から出てくる排水を最終的には公共の集合枡に流すための屋外排水設備およびその設置工事の方法に関する。
【背景技術】
【０００２】
図５および図６に示すように、建物１００からの排水を流す排水枡１０１や排水管１０２は、公設の下水本管に接続するため、公設枡１０３に向かって所定の勾配をとれるように、建物の周囲を掘削した溝に設置する。そのような排水枡１０１は、汚水、雨水、雑排水に関わらず、コンクリート製のものが用いられることが多い。そして内部に溜まる水の重量を充分に支持するため、図６に示すように掘削溝の底部１０４を転圧などで固め、その上に割り栗１０５を敷設した後、排水枡１０１を設置する。また、排水枡１０１の間を接続する排水管１０２についても、掘削溝の底部に枕木１０６を敷設し、その上に設置する。
【０００３】
ところで表層地盤が弱い場合は、建物は耐力設計した杭を強固な地下地盤まで打ち込み、その杭上に建物の基礎を設けたり、あるいは地中梁の下端に設けたフーチン１０７を地下地盤で支える。しかし排水枡１０１や排水管１０２などの屋外埋設排水系は表層地盤に設置するだけなので、沈下量に差が生じ、不等沈下を生じてしまう。そこで従来は、建物１００から排水枡１０１へ延ばす配管１０８は、上下の変位を許すフレキシブル継ぎ手１０９を介して排水枡１０１に接続している。なお、符号１１０はフレキシブル継ぎ手１０９のメンテナンス用のピットである。
【０００４】
他方、地震対策などのために、排水枡本体と、その排水枡本体から立ち上がる立ち上がり管とを、縦方向に移動自在に、かつ水密に接続し、立ち上がり管に沈下防止リブを設けることにより、立ち上がり管の上端の蓋が地表から突出したり沈下しないようにした排水枡が提案されている（特許文献１参照）。また、立ち上がり管を、軸方向の移動を許すテレスコピック構造とした埋設管も提案されている（特許文献２、特許文献３参照）。
【０００５】
【特許文献１】特開平７−３８７４号公報
【特許文献２】実開平１−８３９８８号公報
【特許文献３】特開平６−２２９００２号公報
【発明の開示】
【発明が解決しようとする課題】
【０００６】
建物から出てくる配管と外部の配管の間にフレキシブル継ぎ手を介在させる方法は、建物と屋外埋設排水系との沈下差を吸収するが、排水枡同士の不等沈下により、配管勾配が変化したり、排水枡間を連結する排水管の破損を引き起こすことがある。また、排水管の勾配の設定は、表層地盤上の割り栗や盛り土で行うので、勾配量を使ってしまい、公設枡への最終配管の勾配がゼロ近くになることが多い。さらに竣工後、不等沈下やそれによる排水管の破損などで勾配逆転が発生すると、再度掘削して補修工事をする必要がある。さらにフレキシブル継ぎ手は、それ自体が高価であり、しかも建物のすぐ近くにピット１１０などのメンテナンススペースをとる必要があるので一層コストアップになる。
【０００７】
本発明は建物と屋外埋設排水系の間の不等沈下を防止すると共に、屋外埋設排水系の間の不等沈下をも防止することができ、しかも安価なコストで施工できる屋外排水設備を提供することを技術課題としている。
【課題を解決するための手段】
【０００８】
本発明の不等沈下対策用の屋外排水設備（請求項１）は、建物の周囲を掘削した溝を埋め戻した外側の地盤と、前記建物に固定される支持部材と、前記建物の複数個所から出てくる排水を受ける排水枡および枡同士を接続する排水管と、前記排水管を囲むように、排水管との間に隙間をあけて配置されるシートと、前記シートと前記排水管との隙間に、前記外側の地盤より密度が低くなるように埋め戻された内部の砂又は発泡スチロールを混入させた砂とを備え、前記排水管は前記支持部材で直接支持され、前記排水枡は接続されている排水管を介して前記支持部材によって間接支持されることを特徴としている。
【０００９】
このような屋外排水設備は、前記シートを網ないし籠で構成するのが好ましい（請求項２）。また、前記排水管および排水枡が合成樹脂製であり、外側の地盤に対して滑りやすいのが好ましい（請求項３）。
本発明の不等沈下対策用の屋外排水設備の設置工事の方法（請求項４）は、建物の周囲を掘削した溝を埋め戻した外側の地盤と、前記建物に固定される支持部材と、前記建物の複数個所から出てくる排水を受ける排水枡およびそれら枡同士を接続する排水管と、前記排水管を囲むように、排水管との間に隙間をあけて配置されるシートと、前記シートと前記排水管との隙間に、前記外側の地盤より密度が低くなるように埋め戻された内部の砂又は発泡スチロールを混入させた砂とを備える不等沈下対策用の屋外排水設備の設置工事の
方法であって、前記建物の地中梁周囲を掘削する工程と、前記地中梁に前記支持部材を固定する工程と、前記支持部材に前記排水管を固定する工程と、前記排水管の下部を残して埋め戻す工程と、前記シートを略半円筒ないしＵ字状の形状に撓ませて前記排水管の下方に設置する工程と、前記シートの内側の前記排水管との隙間に、外側の地盤より低い密度になるように砂又は発泡スチロールを混入させた砂を充填する工程と、前記シートの上部を半円状に閉じて籠を形成する工程と、その籠の上部に砂層、良質土壌、現場土を順に埋め戻す工程とを有することを特徴とする。
【発明の効果】
【００１０】
本発明の屋外排水設備（請求項１）は、排水枡および排水管が支持部材を介して建物によって支持されているので、建物を残して周囲の表層地盤が沈下しても、排水枡および排水管は建物と一体になって沈下しない。逆に建物が沈下することがあっても、建物の沈下量と屋外排水管系全体の沈下量とが同一となり、不等沈下を防止することができる。さらに建物および支持部材を介してそれぞれの排水枡の沈下量や排水管の沈下量も同一になる。そのため、それらの間での不等沈下が防止され、排水管が破損したり勾配が変化したりすることもない。
そして、前記排水管を囲むように、排水管との間に隙間をあけて配置されるシートを有し、そのシートと排水管の隙間が、シートの外側の地盤より粗く埋め戻しされているので、建物の沈下によって排水管が下降する場合に、周囲の地盤から強い抵抗を受けない。そのため、一層不等沈下を防止することができる。
【００１２】
前記シートを網ないし籠で構成する場合（請求項２）は、シートの透水性が高く、しかもシートが周囲の土圧によって変形しても、排水管には影響が及びにくい。前記排水管および排水枡が合成樹脂製であり、外側の地盤に対して滑りやすい場合は、軽量で、かつ滑りやすいので、支持部材の負担が少ない（請求項３）。
【発明を実施するための最良の形態】
【００１３】
つぎに図面を参照しながら本発明の不等沈下対策用の屋外排水設備の実施の形態を説明する。図１は本発明の屋外排水設備の一実施形態を示す斜視図、図２はその屋外排水設備の側面図、図３はその屋外排水設備の設置手順を示す工程図、図４は本発明に関わる排水管の吊り構造の実施形態を示す正面図である。
【００１４】
図１に示す屋外排水設備１０は、建物１１の基礎部分あるいは地中梁１２に固定されるブラケット１３と、建物１１から出てくる排水を受ける排水枡１４と、排水枡同士を接続する排水管１５と、排水管１５の屈曲部に配置され、集合枡として機能する排水枡１４ａと、前記排水管１５を囲むように配置されている籠１６とを備えている。この実施形態では、排水管１５がブラケット１３によって吊り持ち支持され、排水管１５と連結されている排水枡１４、１４ａは排水管１５およびブラケット１３を介して建物１１によって支持されている。
【００１５】
前記ブラケット１３は、構造用の鋼などで形成されるものであり、この実施形態では図３に示すように、底板１７と、その底板の後端から立ち上がる立ち上がり板１８と、両者の先端同士を連結する傾斜板１９とから構成され、たとえば溶接などで一体にされている。各板には、補強用のリブを設けるのが好ましく、Ｌ型鋼（アングル）、Ｉ型鋼などの型鋼で構成してもよい。立ち上がり板１８は、建物１１の基礎となるコンクリート製の地中梁１２に対して埋め込まれた、あるいは打ち込まれたアンカーボルト２０とナット２１とによって地中梁１２に固定される。
【００１６】
ブラケット１３は、地中での耐久性が高いように、ステンレススチール、炭素鋼の表面にコールタールを塗布したもの、炭素鋼の表面にペトロラタム系ペーストを塗布した上にペトロラタム系防食テープを巻いたものなどで製造することもできる。ブラケット１３の個数はとくに制限はないが、通常は１本の排水管１５について１〜２か所程度をブラケット１３で支持する。なお、ブラケット１３を上下逆にして、ブラケットの上に排水管１５を設置するようにしてよく、他の形状のブラケットを採用してもよい。
【００１７】
図２に示すように、前記排水枡１４、１４ａは、容器状の枡本体２２と、その上方に延びる筒状の点検筒２３と、その上端開口を開閉自在に塞ぐ蓋体２４とを備えている。さらに蓋体２４の上方の地表には、リング状の枠体２５と、その枠部材の中央の開口を閉じる蓋部材２６とが設けられている。点検筒２３と枠体２５を切り離しているのは、排水枡１４が不等沈下しても、蓋部材２６を地表に残すようにするためである。枡本体２２、点検筒２３および蓋体２４はポリ塩化ビニルなどの合成樹脂製とするのが好ましい。それにより、屋外排水系全体が軽量となり、排水管１５やブラケット１３の負担が少なくなる。また、内面が平滑であるので、雑排水でもスムーズに流すことができる。
【００１８】
排水枡１４の枡本体２２は、建物１１から出てくる排水用の配管２７と連結されている。その配管２７は、地中梁１２を貫通する水平管２８と、直角エルボを介して連結され、下向きに延びる垂直管２９とその垂直管２９の下端と直角エルボを介して枡本体２２とを連結する第２水平管３０とからなる。これらの配管２７もポリ塩化ビニルなどの軽量の合成樹脂が好ましい。また、公設枡３１への配管３２にはフレキシブル継ぎ手３３を使用しているが、建物１１の外部に排水する配管２７にはフレキシブル継ぎ手を用いていない。
【００１９】
前記排水管１５は、排水枡１４、１４ａの枡本体２２同士を連結しており、略水平で、所定の勾配に設定されている。そして少なくともその１か所、好ましくは２か所を前記ブラケット１３で支持している。図３に示すように、排水管１５はブラケット１３の底板１７の先端近辺に対し、たとえば従来公知のＵ字ボルト３４とナット３５などにより締結されている。排水管１５の勾配はブラケット１３の取り付け高さで精密に設定することができるが、さらに微調節する場合は、排水管１５と底板１７の間にスペーサなどを介在させる。ただしネジなどにより、連続的に調節できるように構成することもできる。
【００２０】
排水管１５は図３のようにブラケット１３に直接取り付けるほか、たとえば図４に示すように、吊りバンド３６および吊りボルト３６ａでブラケット１３に吊り下げてもよい。このように吊りバンド３６などで吊り下げることより、精密な勾配で配管工事を行うことができる。また、建物のフーチン３７の下面より深い地中に排水管１５を設置する場合は、吊りバンド３６および吊りボルト３６ａを用いることにより、容易に建物との一体化を図ることができる。
【００２１】
排水管１５の周囲を囲む籠１６は、たとえば金網を円筒状に巻いたもので構成することができる。籠１６に用いる金網は、たとえば平織金網であれば、径０．３〜１．２ｍｍの耐食塗装鋼線やステンレススチール線を素線に用いたメッシュ３〜１０のものが好ましい。亀甲金網であれば、線形０．５〜１．５ｍｍの呼称編み目６〜２０ｍｍのものが好ましい。このような金網は隙間が大きいので透水性が高く、可撓性を有するので施工が容易であり、土圧に対してある程度の耐圧性を備えている。
【００２２】
図１に示すように、前述の排水管１５は建物１１の壁に沿って配置され、建物１１から出てくる排水管２７と排水枡１４で合流しながら建物１１のコーナ部などに設けられる排水枡１４ａに向かって次第に下降するように勾配がつけられる。そして最終的に排水が集まる排水枡１４ａは、図２に示すように、太い配管３２およびフレキシブル継ぎ手３３などを介して公道に隣接する敷地内の地中に設置されている公設枡３１に連結される。この場合、公設枡３１に接続するまでが敷地内工事となる。なお、図２の符号３８は公設枡３１を支持する割り栗である。符号ＧＬはグランドレベルを示している。
【００２３】
つぎに上記の屋外排水設備１０の設置工事の方法を説明する。まず、図１に示すように、建物１１の地中梁１２の周囲を掘削する。地中梁１２をコンクリートで形成した後、途中まで埋め戻してもよい。ついで地中梁１２にブラケット１３を固定し、排水管１５を前述のＵボルト３４などでブラケット１３に取り付ける。さらに排水管１５に排水枡１４を連結する。ついで図３の第１工程Ｓ１で示すように、排水管１５の下部を残して埋め戻す。埋め戻しには、図２に示すように、第１砂層３９、第２砂層４０、第３砂層４１が用いられ、層ごとに転圧する。
【００２４】
そして図３の第２工程Ｓ２で示すように、籠を形成するための金網４２を略半円筒ないしＵ字状の形状に撓ませて排水管１５の下方に設置する。砂層４０、４１と金網４２の間は、各砂層と同様の砂で埋め戻す。さらに金網４２の内側に、金網４２の外側よりも粗い密度で砂４３を充填する。砂４３に発泡スチロール片などの軟らかいものを混入してもよい。そして第３工程Ｓ３で示すように、金網４２の上部を半円状に閉じて、籠１６を形成する。ブラケット１３や排水枡１４と干渉する部位では、金網４２を切り取ったり曲げたりする処置を行う。そして図２のように、第３砂層４１の上部を埋めて、その上に第１良質土層４５、第２良質土層４６を埋め戻し、地表近辺は現場土４７で埋め戻して周囲と違和感がないようにする。
【００２５】
上記のように構成される屋外排水設備１０は、排水管１５や排水枡１４、１４ａがブラケット１３で建物１１と一体化されているので、埋め戻しした周囲の土壌が沈下しても、建物１１との間で不等沈下しない。また、排水管１５同士、排水枡１４同士、あるいは排水管１５と排水枡１４との間の不等沈下も防止される。そのため、屋外排水系の機器の損傷が少なく、勾配の逆転が生じるトラブルが減少する。なお、図３の第３工程Ｓ３で示すように、排水管１５の周囲は籠１６で囲まれており、その内部の砂４３の密度が低いため、周囲の土壌が沈下しても、排水管１５はそれほど抵抗を受けずに元の高さ（想像線１５ａ）を維持することができる。また排水枡１４の点検筒２３が合成樹脂製であるので、周囲の土壌に対して滑りやすく、それによっても沈下の影響を受けにくい。
【００２６】
さらに高価で、ピットなどのメンテナンススペースを建屋側に要求するフレキシブル継ぎ手の使用本数が減るので、作業が削減され、コストが低下する。また、枡間の排水管の勾配は、ブラケットや吊りバンドおよび吊りボルトで規定が可能なため、精度がよい。そのため、たとえば１／１００程度の勾配で設定することができる。したがって屋外排水系で使用する高低差を小さくすることができ、公設枡への配管勾配を充分に確保することができる。
【００２７】
前記実施形態では排水管１５や排水枡１４を合成樹脂製にしているが、ステンレススチールや、外面にペトロラタム系ペースト塗布と防食テープとを施した内面ライニング鋼管などの耐食性が高い金属で構成することもできる。また、ブラケット１３は金属製としているが、合成樹脂製やコンクリート製にすることも可能である。また、排水管１５の周囲に金網で構成した籠を設けているが、樹脂亀甲網など、合成樹脂製の網や、竹製の籠で構成することもできる。籠は必ずしも可撓性を有する必要はなく、たとえば薄いステンレススチール製パンチングメタルなどの剛性が高いシートで構成することもできる。
【図面の簡単な説明】
【００２８】
【図１】本発明の屋外排水設備の一実施形態を示す斜視図である。
【図２】図１の屋外排水設備の側面図である。
【図３】図１の屋外排水設備の設置手順を示す工程図である。
【図４】本発明に関わる排水管の吊り構造の実施形態を示す正面図である。
【図５】従来の屋外排水設備の一例を示す斜視図である。
【図６】図５の屋外排水設備の側面図である。
【符号の説明】
【００２９】
１０  屋外排水設備
１１  建物
１２  地中梁
１３  ブラケット
１４、１４ａ  排水枡
１５、１５ａ  排水管
１６  籠
１７  底板
１８  立ち上がり板
１９  傾斜板
２０  アンカーボルト
２１  ナット
２２  枡本体
２３  点検筒
２４  蓋体
２５  枠体
２６  蓋部材
２７  建物から出てくる配管
２８  水平管
２９  垂直管
３０  第２水平管
３１  公設枡
３２  太い配管
３３  フレキシブル継ぎ手
３４  U字ボルト
３５  ナット
３６  吊りバンド
３６ａ  吊りボルト
３７  フーチン
３８  割り栗
ＧＬ  グランドレベル
Ｓ１  第１工程
Ｓ２  第２工程
Ｓ３  第３工程
３９  第１砂層
４０  第２砂層
４１  第３砂層
４２  金網
４３  砂
４５  第１良質土層
４６  第２良質土層
４７  現場土層
【図１】
0004679402.tif 000002
【図２】
0004679402.tif 000003
【図３】
0004679402.tif 000004
【図４】
0004679402.tif 000005
【図５】
0004679402.tif 000006
【図６】
0004679402.tif 000007